(57)【要約】【課題】  基板と基板を接続するための基板接続用コネクタを嵌合させたとき、コネクタ同士を完全にロックできるようにするとともに、このロック状態の解除を容易にできるようにする。【解決手段】  基板接続用コネクタは、絶縁ハウジングに複数の接点が整列状態で配設されるソケットと前記複数の接点がハンダ接合部にハンダ付けされる基板と、絶縁ハウジングに複数の端子が整列状態で配設されるプラグと前記複数の端子がハンダ接合部にハンダ付けされる基板と、からなり、前記ソケットは、両端部に係合窓を有するロックバネを配置し、前記プラグには前記係合窓に係合する拘止突部を備え、前記プラグをハンダ接合する基板には装着された前記ソケットを前記プラグから外すときに、前記ロックバネの係合窓を前記拘止突部からリリースさせるためのロック解除窓を形成することである。【選択図】  図３
2006244955.tif 000002
【特許請求の範囲】
【請求項１】
絶縁ハウジングに複数の接点が整列状態で配設されるソケットと前記複数の接点がハンダ接合部にハンダ付けされる基板と、
絶縁ハウジングに複数の端子が整列状態で配設されるプラグと前記複数の端子がハンダ接合部にハンダ付けされる基板と、からなり、
前記ソケットは、両端部に係合窓を有するロックバネを配置し、前記プラグには前記係合窓に係合する拘止突部を備え、前記プラグをハンダ接合する基板には装着された前記ソケットを前記プラグから外すときに、前記ロックバネの係合窓を前記拘止突部からリリースさせるためのロック解除窓を形成することを特徴とする基板接続用コネクタ。
【請求項２】
前記ロックバネは、前記ロック解除窓から突出しない寸法で形成されていることを特徴とする請求項１に記載の基板接続用コネクタ。
【発明の詳細な説明】
【技術分野】
【０００１】
本発明は、基板接続用コネクタに関するものであり、詳しくは、基板相互を接続するソケットとプラグを完全にロック状態とし、且つ、このロック状態を容易に解除できる構造を備えた基板接続用コネクタに関するものである。
【背景技術】
【０００２】
従来技術におけるプリント基板同士を接続するためのソケットとプラグは、プリント基板にソケットを取付け、プリント基板にプラグを取付け、このソケットにプラグを差込むことによりプリント基板同士を電気的に接続する。
このソケット１１０は、図１８乃至図２１に示すように、直方体形状に形成された絶縁ハウジング１１１に複数の接点である第１接点１１２及び第２接点１１３を長手方向に沿って平行に且つそれぞれの各接点１１２、１１３が整列状態に配設された構造となっており、このソケット１１０は第１及び第２接点１１２、１１３を基板にハンダ付けすることでソケット用基板に配設される。
【０００３】
絶縁ハウジング１１１は、直方体形状に形成され、外側が鍔状に形成された基部１１４、この基部１１４の内側から突設して形成されたＵ字と逆Ｌ字を組み合わせた形状の第１及び第２接点１１２、１１３を係合係止する接点係止部１１５と、長手方向両端部にＬ字形状の補強金具１１６を係合係止する補強金具係止部１１７と、底部であって長方形の向かい合う２つの辺にソケット１１０を位置決めするための突出形成した位置決め突部１１８ａ、１１８ｂ（図２０参照）を設けた構造となっている。
【０００４】
接点係止部１１５は、一方の側壁に第１接点１１２を整列状態で係合係止する第１接点係止部１１９を備え、他方の側壁に第２接点１１３を整列状態で係合係止する第２接点係止部１２０を備えた構造になっている。
【０００５】
第１及び第２接点１１２、１１３は、図２１に示すように、プラグ１３０に接触する接触部１２１を設けた側がＵ字状に形成し係止する側が逆Ｌ字状に形成され、Ｕ字状に形成した自由端部側に外方向に突出形成した接触部１２１を設け、逆Ｌ字状に形成した自由端部に基板１２４のハンダ接合部に接続するハンダ接合片１２２を設けた構造となっている。
【０００６】
補強金具１１６は、図１９に示すように、Ｌ字状に形成された一方の端部がハンダ接合片１２３で、他方の端部が補強金具係止部１１７に係止する係止部１２８である。
【０００７】
ソケット用基板１２４は、図２２に示すように、ソケット１１０を形成する絶縁ハウジング１１１に配設された第１接点１１２及び第２接点１１３並びに補強金具１１６をハンダ付けして固定する領域が設けられており、絶縁ハウジング１１１に整列状態で配設されている第１接点１１２のハンダ接合片１２２とハンダ付けするための整列状態に形成された第１接点ハンダ接合部１２５と、この第１接点ハンダ接合部１２５に平行して、第２接点１１３のハンダ接合片１２２とハンダ付けする第２接点ハンダ接合部１２６と、第１及び第２接点ハンダ接合部１２５、１２６の両端外側位置で補強金具１１６をハンダ付けする補強金具ハンダ接合部１２７と、補強金具ハンダ接合部１２７の近傍位置に位置決め突部１１８ａ、１１８ｂを係合する位置決め係合穴１２８ａ、１２８ｂとを設けた構造となっている。
【０００８】
このような構造をしたソケット用基板１２４は、ソケット１１０に取付けられる。ソケット１１０に取付けるには、位置決め突部１１８ａ、１１８ｂを位置決め係合穴１２８ａ、１２８ｂに係合させることで、第１接点ハンダ接合部１２５に第１接点１１２のハンダ接合片１２２を載せ、第２接点ハンダ接合部１２６に第２接点１１３のハンダ接合片１２２を載せ、補強金具ハンダ接合部１２７に補強金具１１６のハンダ接合片１２３を載せることで、ハンダ付けをし、基板１２４とソケット１１０の第１及び第２接点１１２、１１３は電気的に接続された状態になり、補強金具１１６により基板１２４に取付けられたソケット１１０は堅牢なものになる。
【０００９】
プラグ１３０は、雌型コネクタであり、それは、図２３乃至図２６に示すように、雄型コネクタのソケットの形状に合わせた直方体形状に形成された絶縁ハウジング１３１に複数の端子である第１端子１３２及び第２端子１３３を長手方向に沿って平行に且つ各端子１３２、１３３を整列状態に配設した構造となっており、プラグ用基板に配設される。
【００１０】
絶縁ハウジング１３１は、内側が陥没面１３４で形成し、その外側外周を壁で形成され、一辺の壁が第１端子１３２を係合係止する第１端子支持壁１３５、この第１端子支持壁１３５に対向する側が第２端子１３３を係合係止する第２端子支持壁１３６、第１端子支持壁１３５と第２端子支持壁１３６を結んだ長手方向両端部が補強金具１３７を係合係止する補強金具支持壁１３８、底部であって長方形の向かい合う２つの辺にプラグを位置決めするための突出形成した位置決め突部１３９ａ、１３９ｂ（図２５参照）とで構成されている。
第１端子支持壁１３５には、第１端子１３２を整列状態で係合係止し、その接触部を陥没面１３４に臨ませて配設する第１端子係止部１４１を設けた構造となっている。
第２端子支持壁１３６には、第２端子１３３を整列状態で係合係止し、その接触部を陥没面１３４に望ませて配設する第２端子係止部１４２を設けた構造となっている。
補強金具支持壁１３８には、Ｌ字状の補強金具１３７を係合係止する補強金具係止部１４３を設けた構造となっている。
【００１１】
第１端子１３２及び第２端子１３３は、図２６に示すように、同じ形状のＵ字型形状に形成され、Ｕ字状の底部から外方向に突出させたハンダ接合片１４０を設け、ハンダ接合片１４０の反対方向のＵ字状の自由端部がソケットの接点と接触する接触部１５０を形成する。
【００１２】
補強金具１３７は、図２４に示すように、ソケット１１０に配設された補強金具１１６と同一形状であり、Ｌ字状に形成された一方の端部がハンダ接合片１４４で、他方の端部が補強金具係止部１４３に係止する係止部１４５である。
【００１３】
プラグ用基板１４６は、図２７に示すように、プラグ１３０を形成する絶縁ハウジング１３１に配設された第１端子１３２及び第２端子１３３をはんだ付けして固定する領域が設けられており、この領域は絶縁ハウジング１３１に整列状態で配設されている第１端子１３２のハンダ接合片１４０とハンダ付けするための整列状態に形成された第１端子ハンダ接合部１４７と、この第１端子ハンダ接合部１４７に平行して、第２端子１３３のハンダ接合片１４０とハンダ付けする第２端子ハンダ接合部１４８と、整列状態に配設された第１及び第２端子ハンダ接合部１４７、１４８の両端外側位置に補強金具１３７をハンダ付けする補強金具ハンダ接合部１４９と、補強金具ハンダ接合部１４９の近傍位置に位置決め突部１３９ａ、１３９ｂを係合する位置決め係合穴１５１ａ、１５１ｂとを設けた構造となっている。
【００１４】
このような構造をしたプラグ用基板１４６は、プラグ１３０に取付けられる。プラグ１３０に取付けるには、位置決め突部１３９ａ、１３９ｂを位置決め係合穴１５１ａ、１５１ｂに係合させることで、第１端子ハンダ接合部１４７に第１端子１３２のハンダ接合片１４０を載せ、第２端子ハンダ接合部１４８に第２端子１３３のハンダ接合片１４０を載せ、補強金具ハンダ接合部１４９に補強金具１３７のハンダ接合片１４４を載せることで、ハンダ付けをし、基板とプラグの第１及び第２端子１３２、１３３は電気的に接続された状態になり、補強金具１３７により基板に取付けられたプラグは堅牢なものになる。
【００１５】
さて、このように基板を備えたソケット及び基板を備えたプラグの嵌合は、図１６及び図１７に示すように、基板１２４を備えたソケット１１０に基板１４６を備えたプラグ１３０を差込むことにより両者の基板１２４、１４６は電気的に接続した状態になる。即ち、ソケット１１０の突状に形成された接点係止部１１５にプラグ１３０の陥没面１３４を差込むと、ソケット側の第１及び第２接点１１２、１１３の突部に形成した接触部１２１がプラグの第１及び第２端子１３２、１３３の面状に形成された接触部１５０に摺動しながら接触して電気的に接続した状態を得る。そして、この係合を保持するのは雌雄の関係のハウジングの形状と第１及び第２接点１１２、１１３と第１及び第２端子１３２、１３３との接触圧とで保持される。
【特許文献１】特開２０００−２６０５０９号公報（第５頁、図４）
【００１６】
また、基板接続用の雄型コネクタのソケットと雌型コネクタのプラグの嵌合状態を保持するため、上述したようなコネクタのコンタクト（端子）の接触圧によって嵌合状態を保持する方法や、相互のコネクタに補強金具を設けて嵌合状態をロックしたり、コネクタの形状（モールド）によって嵌合状態をロックする等の方法が採られている。
【発明の開示】
【発明が解決しようとする課題】
【００１７】
しかしながら、上述したコネクタのコンタクト（端子）の接触圧による方法では、コネクタ同士を完全にロックすることができないという問題があり、また、相互のコネクタに補強金具を設けたり、コネクタの形状（モールド）によって嵌合状態をロックする方法を用いるとコネクタ同士が完全にロックし、コネクタ同士を嵌合させたり、外したりすることが容易にできないという問題がある。
【００１８】
従って、基板と基板を接続するための基板接続用コネクタを嵌合させたとき、コネクタ同士を完全にロックできるようにするとともに、このロック状態の解除を容易にできるようにすることに解決しなければならない課題を有する。
【課題を解決するための手段】
【００１９】
上記課題を解決するために、本発明に係る基板接続用コネクタは次のような構成にすることである。
【００２０】
（１）基板接続用コネクタは、絶縁ハウジングに複数の接点が整列状態で配設されるソケットと前記複数の接点がハンダ接合部にハンダ付けされる基板と、絶縁ハウジングに複数の端子が整列状態で配設されるプラグと前記複数の端子がハンダ接合部にハンダ付けされる基板と、からなり、前記ソケットは、両端部に係合窓を有するロックバネを配置し、前記プラグには前記係合窓に係合する拘止突部を備え、前記プラグをハンダ接合する基板には装着された前記ソケットを前記プラグから外すときに、前記ロックバネの係合窓を前記拘止突部からリリースさせるためのロック解除窓を形成することである。
（２）前記ロックバネは、前記ロック解除窓から突出しない寸法で形成されていることを特徴とする（１）に記載の基板接続用コネクタ。
【発明の効果】
【００２１】
本発明では、ソケットの両端部に係合窓を備えたロックバネを配置し、プラグには係合窓に係合する拘止突部を備えると共に、ソケットにプラグを装着して外すときに、拘止突部をロックバネの係合窓からリリースさせるためのロック解除窓をプラグ用基板に設けた構成にすることで、ソケットにプラグを差込むとロックバネで完全にロック状態に維持させ、抜くときにロック解除窓を介してロックバネを外方向にリリースさせることで係合窓に係止している拘止突部が外れプラグを抜くことができる。
【発明を実施するための最良の形態】
【００２２】
次に、本発明の基板接続用コネクタの実施の形態について図面を参照して説明する。但し、図面は専ら解説のためのものであって、本発明の技術的範囲を限定するものではない。
【実施例１】
【００２３】
まず、本発明の基板接続用コネクタの雄型コネクタであるソケット１０は、図４乃至図８に示すように、直方体形状に形成された絶縁ハウジング１１に複数の接点である第１接点１２及び第２接点１３を長手方向に沿って平行に且つそれぞれの各接点１２、１３が整列状態に配設された構造となっており、このソケット１０はソケット用基板３３（図５参照）に配設される。
【００２４】
絶縁ハウジング１１は、長手方向両端部に背丈寸法が高いガイド部１４ａ、１４ｂを設け、中央部が第１接点１２及び第２接点１３を配設するための接点嵌合部１５を形成する。
接点嵌合部１５は、複数の接点からなる第１接点１２を整列状態で係合係止するための線条に形成した第１接点支持壁１６、この第１接点支持壁１６に平行に配設した嵌合支持壁１７、嵌合支持壁１７を境にして第１接点支持壁１６と対向するように平行に第１接点支持壁１６と同一形状の第２接点支持壁１８からなり、第１接点支持壁１６と嵌合支持壁１７との間に第１接点溝１９を形成し、嵌合支持壁１７と第２接点支持壁１８との間に第２接点溝２１を形成する。この第１接点溝１９に第１接点１２が臨ませて配設され、第２接点溝２１に第２接点１３が臨ませて配設される。
【００２５】
第１接点１２及び第２接点１３は、特に図８に示すように、同じ形状のＳ字を横にして縮めた略Ｓ字形状に形成され、端部がハンダ接合片２２で、ハンダ接合片２２に連続したＵ字状に形成した位置が第１接点支持壁１６に係合する接点支持部２３であり、その連続した反対方向に折り曲げた先端を円弧状に突出させて接触部２４を形成する。
このような構造の第１接点１２は、図８に示すように、ハンダ接合片２２を絶縁ハウジング１１の下端部に面一にして外に出し、接点支持部２３を第１接点支持壁１６に嵌合させ、接触部２４を第１接点溝１９に臨ませた状態にして配設する。第２接点１３は、図８に示すように、第１接点１２と配置状態は正反対になり、ハンダ接合片２２を絶縁ハウジング１１の下端部に面一にして外に出し、接点支持部２３を第２接点支持壁１８に嵌合させ、接触部２４を第２接点溝２１に臨ませた状態にして配設する。
【００２６】
ガイド部１４ａ、１４ｂは、特に図４及び図５に示すように、雌型コネクタのプラグ４０をガイドするもので両側のガイド部１４ａ、１４ｂに係合させてプラグを正確に差込むと共に、差込んだプラグを抜けないように完全ロックするロック機構を備えた構成になっている。
その構成は、略コ字状に形成されたガイド突部２５と、ガイド突部２５の中央位置であって短手方向に切欠いたバネ収納孔２６を備え、このバネ収納孔２６に弾性部材で形成したロックバネ２７を収納した構造となっている。ロックバネ２７は、平板部材で頂部を外方向に折り曲げてリリース片２８とし、中央位置をくりぬいて係合窓２９を形成し、下部位置に絶縁ハウジング１１に係合する支持片（図７参照）３１、支持片３１の基部側底部にハンダ接合部３２を設けた構造となっている。この係合窓２９が、プラグ４０の拘止突部５２（図３参照）を引っ掛けて完全ロック状態にする。
又、ロックバネ２７のリリース片２８は、後述する基板３３、５３同士を接続したときにロック解除窓５６（図３参照）から突出しない寸法で形成されていることで、不用意にリリースできない構造となっている。
【００２７】
ソケット用基板３３は、図９に示すように、ソケットを形成する絶縁ハウジング１１に配設された第１接点１２及び第２接点１３並びにロックバネ２７をハンダ付けして固定する領域が設けられており、絶縁ハウジング１１に整列状態で配設されている第１接点１２のハンダ接合片２２とハンダ付けするための整列状態に形成された第１接点ハンダ接合部３４と、この第１接点ハンダ接合部３４に平行して、第２接点１３のハンダ接合片２２とハンダ付けする第２接点ハンダ接合部３５と、第１及び第２接点ハンダ接合部３４、３５の両端外側位置にロックバネ２７のハンダ接合部３２とハンダ付けするロックバネハンダ接合部３６を設けた構造となっている。
【００２８】
このような構造をしたソケット用基板３３は、ソケット１０に取付けられる。ソケット１０に取付けるには、第１接点ハンダ接合部３４に第１接点１２のハンダ接合片２２を載せ、第２接点ハンダ接合部３５に第２接点１３のハンダ接合片２２を載せ、ロックバネハンダ接合部３６にロックバネ２７のハンダ接合部３２を載せることで、ハンダ付けをし、基板３３とソケット１０の第１及び第２接点１２、１３は電気的に接続された状態になる。
【００２９】
プラグは、雌型コネクタであり、それは、図１０乃至図１４に示すように、雄型コネクタのソケット１０の形状に合わせた直方体形状に形成された絶縁ハウジング４１に複数の端子である第１端子４２及び第２端子４３を長手方向に沿って平行に且つ各端子４２、４３を整列状態に配設した構造となっており、プラグ用基板５３に配設される。
【００３０】
絶縁ハウジング４１は、両端部に挿入ガイド部４４ａ、４４ｂを設け、中央部が第１端子４２及び第２端子４３を配設した端子嵌合部４５を形成する。
端子嵌合部４５は、複数の第１端子４２を整列状態で係合係止するための線条に形成した第１端子支持壁４６、この第１端子支持壁４６と対向するように平行に同一形状の第２端子支持壁４７からなり、第１端子支持壁４６と第２端子支持壁４７との間が嵌合凹部５０を形成し、この嵌合凹部５０に第１端子４２及び第２端子４３を臨ませて配設される。
第１端子４２及び第２端子４３は、主として図１４に示すように、同じ形状の略コ字状に形成され、その端部が直交する方向に曲げたハンダ接合片４８であり、又、コ字状に曲げた部位を前部方向に膨らませて接触部４９を形成する。このような構造をした第１端子４２及び第２端子４３は、第１端子４２が第１端子支持壁４６に係合させ、第２端子４３が第２端子支持壁４７に係合させ、嵌合凹部５０で接触部４９を向かい合わせた状態で配設される。
【００３１】
挿入ガイド部４４ａ（、４４ｂ）は、主として図１１に示すように、装着された第１及び第２端子４２、４３よりも突き出たガイド突部５１を備え、このガイド突部５１よりも飛び出て且つ外方向に飛び出て形成された拘止突部５２を備えた構成になっている。又、この拘止突部５２は、プラグ用基板５３に設けてあるロック解除窓５６を臨む構成になっている。
【００３２】
プラグ用基板５３は、図１５に示すように、プラグ４０を形成する絶縁ハウジング４１に配設された第１端子４２及び第２端子４３をハンダ付けして固定する領域が設けられており、絶縁ハウジング４１に整列状態で配設されている第１端子４２のハンダ接合片４８とハンダ付けするための整列状態に形成された第１端子ハンダ接合部５４と、この第１端子ハンダ接合部５４に平行して、第２端子４３のハンダ接合片４８とハンダ付けする第２端子ハンダ接合部５５と、整列状態に配設された第１及び第２端子ハンダ接合部５４、５５の両端外側位置にプラグ４０の拘止突部５２を覗けるように四角形状に切欠いて形成されたロック解除窓５６を設けた構造となっている。
【００３３】
このような構成のプラグ用基板５３に、ロック解除窓５６に拘止突部５２を臨ました状態でプラグ４０を電気的に接続した状態で取付ける。プラグ４０に取付けるには、第１端子ハンダ接合部５４に第１端子４２のハンダ接合片４８を載せ、第２端子ハンダ接合部５５に第２端子４３のハンダ接合片４８を載せて、ハンダ付けをし、プラグ用基板５３とプラグ４０の第１及び第２端子４２、４３は電気的に接続された状態になり、拘止突部５２はロック解除窓５６に臨んだ状態になる。
【００３４】
さて、このように基板３３を備えたソケット１０及び基板５３を備えたプラグ４０の嵌合は、図１及び図２に示すように、基板３３を備えたソケット１０に基板５３を備えたプラグ４０を差込むことにより両者の基板３３、５３は電気的に接続した状態になり、且つ完全にロックした状態で支持される。即ち、ソケット１０の嵌合支持壁１７を中心にして第１端子支持壁４６の第１端子４２をソケット１０の第１接点１２が配設されている第１接点溝１９に、第２端子支持壁４７の第２端子４３をソケット１０の第２接点１３が配設されている第２接点溝２１に、夫々同時に装着することで、第１端子４２が第１接点１２の接触部２４に摺動しながら接続し、第２端子４３が第２接点１３の接触部２４に摺動しながら接続する。そして、図３に示すように、両端部においてはプラグ４０の拘止突部５２の側面端部がソケット１０のロックバネ２７を押し付け外側方向に押し広げながら装着する方向に進み、第１及び第２端子４２、４３と第１及び第２接点１２、１３が電気的に接続した状態になったときに、ロックバネ２７の係合窓２９に拘止突部５２が入り込む。そうすると、拘止突部５２の先端部位が係合窓２９内に入り込んだ状態が維持され、プラグ用基板５３を外そうとすると、この拘止突部５２が係合窓２９に係合しているため、外れることなく、完全にロックした状態を維持することができるのである。
基板３３、５３を外すときには、ロック解除窓５６からロックバネ２７の先端部位にあたるリリール片２８を外側方向（破線で示した方向）に動かすことで、拘止突部５２が係合窓２９から外れることでロック状態が解除され、プラグ用基板５３を上方向に持ち上げることで簡単に取り外すことができる。
【図面の簡単な説明】
【００３５】
【図１】本発明に係るソケットにプラグを差込む様子を示した説明図である。
【図２】同、ソケットにプラグを差込む様子を一部断面にして示した説明図である。
【図３】同、ソケットにプラグを差込んで完全ロック状態になった様子を示す一部断面にして拡大して示した説明図である。
【図４】本発明に係るソケットの平面図である。
【図５】同、ソケットの一部断面にした側面図である。
【図６】同、ソケットの底面図である。
【図７】同、ソケットのガイド部を一部断面にした説明図である。
【図８】同、図４におけるＡ−Ａ線断面図である。
【図９】本発明に係るソケット用基板の説明図である。
【図１０】本発明に係るプラグの平面図である。
【図１１】同、プラグの一部断面にした側面図である。
【図１２】同、プラグの底面図である。
【図１３】同、プラグの挿入ガイド部を一部断面にした説明図である。
【図１４】同、図１０におけるＢ−Ｂ線断面図である。
【図１５】本発明に係るプラグ用基板の説明図である。
【図１６】従来技術におけるソケットにプラグを差込む様子を示した説明図である。
【図１７】同、ソケットにプラグを差込む様子を一部断面にして示した説明図である。
【図１８】従来技術におけるソケットの平面図である。
【図１９】同、ソケットの一部断面にした側面図である。
【図２０】同、ソケットの底面図である。
【図２１】同、図１８におけるＣ−Ｃ線断面図である。
【図２２】従来技術におけるソケット用基板の説明図である。
【図２３】従来技術におけるプラグの平面図である。
【図２４】同、プラグの一部断面にした側面図である。
【図２５】同、プラグの底面図である。
【図２６】同、図２５におけるＤ−Ｄ線断面図である。
【図２７】従来技術におけるプラグ用基板の説明図である。
【符号の説明】
【００３６】
１０      ソケット
１１      絶縁ハウジング
１２      第１接点
１３      第２接点
１４ａ    ガイド部
１４ｂ    ガイド部
１５      接点嵌合部
１６      第１接点支持壁
１７      嵌合支持壁
１８      第２接点支持壁
１９      第１接点溝
２１      第２接点溝
２２      ハンダ接合片
２３      接点支持部
２４      接触部
２５      ガイド突部
２６      バネ収納孔
２７      ロックバネ
２８      リリース片
２９      係合窓
３１      支持片
３２      ハンダ係合部
３３      ソケット用基板
３４      第１接点ハンダ接合部
３５      第２接点ハンダ接合部
３６      ロックバネハンダ接合部
４０      プラグ
４１      絶縁ハウジング
４２      第１端子
４３      第２端子
４４ａ    挿入ガイド部
４４ｂ    挿入ガイド部
４５      端子嵌合部
４６      第１端子支持壁
４７      第２端子支持壁
４８      ハンダ接合片
４９      接触部
５０      嵌合凹部
５１      ガイド突部
５２      拘止突部
５３      プラグ用基板
５４      第１端子ハンダ接合部
５５      第２端子ハンダ接合部
５６      ロック解除窓。
【図１】
2006244955.tif 000003
【図２】
2006244955.tif 000004
【図３】
2006244955.tif 000005
【図４】
2006244955.tif 000006
【図５】
2006244955.tif 000007
【図６】
2006244955.tif 000008
【図７】
2006244955.tif 000009
【図８】
2006244955.tif 000010
【図９】
2006244955.tif 000011
【図１０】
2006244955.tif 000012
【図１１】
2006244955.tif 000013
【図１２】
2006244955.tif 000014
【図１３】
2006244955.tif 000015
【図１４】
2006244955.tif 000016
【図１５】
2006244955.tif 000017
【図１６】
2006244955.tif 000018
【図１７】
2006244955.tif 000019
【図１８】
2006244955.tif 000020
【図１９】
2006244955.tif 000021
【図２０】
2006244955.tif 000022
【図２１】
2006244955.tif 000023
【図２２】
2006244955.tif 000024
【図２３】
2006244955.tif 000025
【図２４】
2006244955.tif 000026
【図２５】
2006244955.tif 000027
【図２６】
2006244955.tif 000028
【図２７】
2006244955.tif 000029